(57)【要約】【課題】カードの挿入を許容し、且つ硬貨の挿入を防止することができるカード情報処理装置を提供する。【解決手段】カードを挿入する挿入口を形成した筐体と、該筐体に取り付けられており、カードに対する情報の読み出し及び書き込みを実行するカードリーダ／ライタ部とを備えるカード情報処理装置において、前記挿入口に、カードの厚さよりも長く、硬貨の厚さよりも短い隙間が形成されていることを特徴とするカード情報処理装置。【選択図】図７
2018106630.tif 000002
【特許請求の範囲】
【請求項１】
カードを挿入する挿入口を形成した筐体と、該筐体に取り付けられており、カードに対する情報の読み出し及び書き込みを実行するカードリーダ／ライタ部とを備えるカード情報処理装置において、
前記挿入口に、カードの厚さよりも長く、硬貨の厚さよりも短い隙間が形成されていること
を特徴とするカード情報処理装置。
【請求項２】
前記挿入口に、互いに対向するリブが設けられており、
前記リブの間に前記隙間が形成されていること
を特徴とするカード情報処理装置。
【請求項３】
前記筐体はカードを収容する収容室を備え、
カードの厚み方向における前記収容室の寸法は、前記隙間の寸法よりも長いこと
を特徴とする請求項１又は２に記載のカード情報処理装置。
【請求項４】
前記挿入口を開閉するソレノイドを備え、
前記挿入口にカードが挿入された場合に、前記ソレノイドは前記挿入口を閉鎖し、前記カードリーダ／ライタ部による情報の読み出し又は書き込みが終了した場合に、前記ソレノイドは前記挿入口を開くこと
を特徴とする請求項１から３のいずれか一つに記載のカード情報処理装置。
【請求項５】
前記ソレノイドへの供給電力を制御するトランジスタを備え、
前記トランジスタ及びソレノイドの間に過電流を防止する抵抗が直列に設けられており、
前記トランジスタ及びソレノイドの間に、前記ソレノイドの起動時における電圧及び電流を確保するコンデンサが前記抵抗に並列に設けられていること
を特徴とする請求項４に記載のカード情報処理装置。
【発明の詳細な説明】
【技術分野】
【０００１】
本発明は、カードに対して情報の読み出し及び書き込みを実行するカード情報処理装置に関する。
【背景技術】
【０００２】
カード情報処理装置はカードの挿入口を備える。挿入口からカードが挿入され、カードに対して情報の書き込み又は読み出しが実行される（例えば特許文献１参照）。
【先行技術文献】
【特許文献】
【０００３】
【特許文献１】特開２００６−６５６６４号公報
【発明の概要】
【発明が解決しようとする課題】
【０００４】
挿入口の上下寸法が硬貨の厚みよりも大きい場合に、ユーザが誤って挿入口に硬貨を挿入すると、硬貨は挿入口を通過する。通過した硬貨はカード情報処理装置に入り込む。硬貨を取り出すまで、カードは挿入できず、カード情報処理装置を使用することができない。
【０００５】
本発明は斯かる事情に鑑みてなされたものであり、カードの挿入を許容し且つ硬貨の挿入を防止することができるカード情報処理装置を提供することを目的とする。
【課題を解決するための手段】
【０００６】
本発明に係るカード情報処理装置は、カードを挿入する挿入口を形成した筐体と、該筐体に取り付けられており、カードに対する情報の読み出し及び書き込みを実行するカードリーダ／ライタ部とを備えるカード情報処理装置において、前記挿入口に、カードの厚さよりも長く、硬貨の厚さよりも短い隙間が形成されていることを特徴とする。
【０００７】
本発明においては、挿入口の隙間がカードの厚さよりも長いので、カードは挿入される。一方、挿入口の隙間は硬貨の厚さよりも短いので、硬貨は挿入されない。
【０００８】
本発明に係るカード情報処理装置は、前記挿入口に、互いに対向するリブが設けられており、前記リブの間に前記隙間が形成されていることを特徴とする。
【０００９】
本発明においては、互いに対向するリブを挿入口に設け、リブの間の隙間にカードを挿入する。
【００１０】
本発明に係るカード情報処理装置は、前記筐体はカードを収容する収容室を備え、カードの厚み方向における前記収容室の寸法は、前記隙間の寸法よりも長いことを特徴とする。
【００１１】
本発明においては、カードの厚み方向における収容室の寸法は前記隙間の寸法よりも長い。そのためカードが変形し、例えばカードの一部が厚み方向に突出している場合でも、カードは収容室内を移動することができる。
【００１２】
本発明に係るカード情報処理装置は、前記挿入口を開閉するソレノイドを備え、前記挿入口にカードが挿入された場合に、前記ソレノイドは前記挿入口を閉鎖し、前記カードリーダ／ライタ部による情報の読み出し又は書き込みが終了した場合に、前記ソレノイドは前記挿入口を開くことを特徴とする。
【００１３】
本発明においては、挿入口にカードが挿入された後、挿入口を閉鎖し、カードリーダ／ライタ部による情報の読み出し又は書き込みが終了する前に、カードが抜き出されることを防止する。情報の読み出し又は書き込みが終了した後、挿入口を開放し、カードの抜き出しを可能にする。
【００１４】
本発明に係るカード情報処理装置は、前記ソレノイドへの供給電力を制御するトランジスタを備え、前記トランジスタ及びソレノイドの間に過電流を防止する抵抗が直列に設けられており、前記トランジスタ及びソレノイドの間に、前記ソレノイドの起動時における電圧及び電流を確保するコンデンサが前記抵抗に並列に設けられていることを特徴とする。
【００１５】
本発明においては、トランジスタ及びソレノイドの間に抵抗を設けて、ソレノイドにおける過電流の発生を防止し、ソレノイドの発熱を抑制する。また抵抗に並列にコンデンサを設け、起動時にソレノイドに供給する電圧及び電流を確保する。
【発明の効果】
【００１６】
本発明におけるカード情報処理装置にあっては、挿入口の隙間がカードの厚さよりも長いので、カードは挿入される。一方、挿入口の隙間は硬貨の厚さよりも短いので、硬貨を挿入することができない。そのため、ユーザが誤って硬貨を挿入口に挿入することを防止できる。
【図面の簡単な説明】
【００１７】
【図１】カード情報処理装置を略示する分解斜視図である。
【図２】下ケースを略示する平面図である。
【図３】図２に示すＩＩＩ−ＩＩＩ線を切断線とした断面図である。
【図４】上ケースを下側から視認した斜視図である。
【図５】上ケースの底面図である。
【図６】カード情報処理装置を略示する正面図である。
【図７】図６に示すＶＩＩ−ＶＩＩ線を切断線とした断面図である。
【図８】制御基板等を示すブロック図である。
【図９】ソレノイド及び該ソレノイドを駆動する駆動回路を示す回路図である。
【図１０】ＩＣカードを挿入したカード情報処理装置を略示する正面図である。
【図１１】図１０に示すＸＩ−ＸＩ線を切断線とした断面図である。
【発明を実施するための形態】
【００１８】
以下本発明を実施の形態に係るカード情報処理装置を示す図面に基づいて説明する。以下の説明では図に示す上下前後左右を使用する。図１は、カード情報処理装置を略示する分解斜視図である。
【００１９】
カード情報処理装置は前後に延びた平面視矩形の偏平な筐体１、制御基板４、カードリーダ／ライタ部（カードＲＷ部）６、ソレノイド７及びカバー５を備える。筐体１は、下ケース２及び上ケース３を備える。制御基板４、カードＲＷ部６、ソレノイド７は筐体１に設けられている。カバー５は制御基板４を覆う。制御基板４、カードＲＷ部６、ソレノイド７及びカバー５の詳細は後述する。
【００２０】
図２は、下ケース２を略示する平面図、図３は、図２に示すＩＩＩ−ＩＩＩ線を切断線とした断面図である。下ケース２は前後に延びた平面視矩形のベース板２０を備える。ベース板２０の右縁部から下方に右側板２１が突出している。右側板２１の下端部から右方に右突出板２２が突出している。右突出板２２の前端部及び後端部上面それぞれに円筒状のボス２２ａが設けられている。
【００２１】
ベース板２０の左縁部から下方に左側板２３が突出している。左側板２３の下端部から左方に左突出板２４が突出している。左突出板２４の前端部及び後端部上面それぞれに円筒状のボス２４ａが設けられている。ベース板２０の前縁部右側に後側に窪んだ凹部２５が形成されている。ベース板２０において、凹部２５の左側部分は前方に突出した舌部２６を構成する。
【００２２】
ベース板２０の後端部上面に二つの突起２７、２７が左右に並設されている。ベース板２０の前端部上面に第一リブ１１、第二リブ１２、第三リブ１３及び第四リブ１４が左右に並んでいる。第一リブ１１は最も右側に配置され、第二リブ１２は第一リブ１１の左側に配置されている。第一リブ１１及び第二リブ１２は凹部２５の後側に配置されている。
【００２３】
第三リブ１３は第二リブ１２の左斜め前に配置されており、凹部２５の左側に配置されている。第三リブ１３は舌部２６の右後部分に配置されている。第四リブ１４は第三リブ１３の左斜め前に配置されており、舌部２６の左端部分に配置されている。第一リブ１１〜第四リブ１４の前部には、前側が後側よりも下に位置するように傾斜した傾斜面がそれぞれ形成されている。
【００２４】
ベース板２０の下面に下方に突出した円筒状のボス２８が四つ設けられている。二つのボス２８、２８はベース板２０の前部にて左右に並んでいる。残り二つのボス２８、２８はベース板２０の中央部後側にて左右に並んでいる。
【００２５】
下ケース２の外側下面に、ＩＣカード７０（図８、図１０及び図１１参照）に対する情報の読み出し又は書き出しを実行するカードＲＷ部６が配置されている。カードＲＷ部６は情報の読み出し又は書き出しを実行する回路を備える。カードＲＷ部６は矩形状をなし、その四隅に貫通孔６ａがそれぞれ設けられている。下側から貫通孔６ａにねじ５４が挿入され、下ケース２の下面のボス２８に連結している。カードＲＷ部６はねじ５４によって下ケース２に連結されている。
【００２６】
図４は、上ケース３を下側から視認した斜視図、図５は、上ケース３の底面図である。上ケース３は前後に延びた平面視矩形のベース板３０を備える。ベース板３０の右縁部から下方に右側板３１が突出している。右側板３１の前端部及び後端部それぞれから右方に突出板３２が突出している。突出板３２には上下に貫通した貫通孔３２ａが設けられている。右側板３１及びベース板３０の後部において、右側板３１及びベース板３０に亘る第一開口３１ａが設けられている。第一開口３１ａの縦断面形状はＬ状をなす。
【００２７】
ベース板３０の左縁部から下方に左側板３３が突出している。左側板３３の前端部及び後端部それぞれから左方に突出板３４が突出している。突出板３４には上下に貫通した貫通孔３４ａが設けられている。左側板３３及びベース板３０の後部おいて、左側板３３及びベース板３０に亘る第二開口３３ａが設けられている。第二開口３３ａは第一開口３１ａよりも後側に配置されている。第二開口３３ａの縦断面形状はＬ状をなす。
【００２８】
ベース板３０の前端部左部分には、前方且つ上方に突出しており、ソレノイド７を収容するソレノイド室３５が設けられている。ソレノイド室３５は下側が開口している。ソレノイド室３５の右隣には、仕切り３７を介して、下側が開口した前室３６が設けられている。前室３６は左右に延び且つ上方に突出し、前後方向に薄い。前室３６には前後に貫通したランプ孔３６ａが形成されている。ソレノイド室３５の下端部左縁部分から下板３８が左方に突出している。
【００２９】
上ケース３は、左右に並んだ第五リブ１５〜第八リブ１８を備える。第五リブ１５及び第六リブ１６はベース板３０の前端部右側部分において、左右方向に並んでいる。第六リブ１６は第五リブ１５の左側に配置されている。
【００３０】
第七リブ１７はソレノイド室３５の後部に設けられている。第七リブ１７はソレノイド室３５の天面部３５ａから下方に突出している。第七リブ１７は第六リブ１６の左斜め前に配置されている。第八リブ１８は下板３８から下方に突出している。第八リブ１８は第七リブ１７の左斜め前に配置されている。第五リブ１５〜第八リブ１８の前部には、前側が後側よりも上に位置するように傾斜した傾斜面がそれぞれ形成されている。
【００３１】
図１に示すように、上ケース３の上面に円筒状の四つのボス３０ａが設けられている。上ケース３の上側に、前後に延びた平面視矩形状をなす制御基板４が設けられている。制御基板４の四隅に貫通孔４ａがそれぞれ設けられている。制御基板４の前端部右側にランプ４ｂが取り付けられている。貫通孔４ａに上側からねじ５１が挿入され、ボス３０ａに連結している。制御基板４はねじ５１によって上ケース３に連結されている。ランプ４ｂは前記ランプ孔３６ａに挿入されており、筐体１の前側からランプ４ｂが視認される。前記カバー５は正面視逆Ｕ状をなす板部材であり、制御基板４及び筐体１を上側から覆う。
【００３２】
前記第一開口３１ａに、ＩＣカード７０の有無を検出する第一センサ７１が挿入されている。第一センサ７１はねじ５３で筐体１に固定されている。第一センサ７１は例えば透過型フォトセンサによって構成されている。第一センサ７１は発光部及び受光部を備え、発光部及び受光部は上ケース３の内側において、上下に対向している。ＩＣカード７０が発光部及び受光部の間に存在する場合、第一センサ７１はＩＣカード７０の存在を検出し、ＩＣカード７０が発光部及び受光部の間に存在しない場合、ＩＣカード７０の不在を検出する。
【００３３】
前記第二開口３３ａに、ＩＣカード７０の後端部の有無を検出する第二センサ７２が取り付けられている。第二センサ７２はねじ５３で筐体１に固定されている。第二センサ７２は例えば透過型フォトセンサによって構成されている。第二センサ７２は発光部及び受光部を備え、発光部及び受光部は上ケース３の内側において、上下に対向している。
【００３４】
前述したように、第二開口３３ａは第一開口３１ａよりも後側に配置されており、ＩＣカード７０が、後述する挿入口１ａ（図１０及び図１１参照）から筐体１に挿入された場合に、ＩＣカード７０後端部が発光部及び受光部の間に配置される。ＩＣカード７０後端部が発光部及び受光部の間に存在する場合、第二センサ７２はＩＣカード７０後端部の存在、即ちＩＣカード７０の挿入が完了したことを検出する。ＩＣカード７０後端部が発光部及び受光部の間に存在しない場合、第二センサ７２はＩＣカード７０の後端部の不在、即ちＩＣカード７０の挿入が完了していないことを検出する。
【００３５】
前記ソレノイド室３５に前記ソレノイド７が収容されている。ソレノイド７は取付金具７ａにねじ５６で固定され、取付金具７ａはねじ５５でソレノイド室３５に固定されている。ソレノイド７は、コイルと、上下動可能なピンと、該ピンを上方に付勢する弾性部材を備える。コイルに電流が流れている場合、ピンは弾性部材の付勢力に抗して下方に進出する。コイルに電流が流れていない場合、ピンは弾性部材の付勢力によって上方に退入する。ピンの進出及び退入によって、ソレノイド７は後述する挿入口１ａを開閉する。
【００３６】
上ケース３の貫通孔３２ａ、３４ａは、下ケース２のボス２２ａに対応した位置に配置されている。貫通孔３２ａ、３４ａに上からねじ５０が挿入され、ボス２２ａに連結し、上ケース３及び下ケース２が連結されている。
【００３７】
図６は、カード情報処理装置を略示する正面図、図７は、図６に示すＶＩＩ−ＶＩＩ線を切断線とした断面図である。上ケース３及び下ケース２の前端部の間にＩＣカード７０を挿入する左右に延びた挿入口１ａが形成されている。
【００３８】
上ケース３及び下ケース２の前後方向中央部において、上ケース３及び下ケース２の間にＩＣカード７０を収容する収容室１ｂが形成されている。収容室１ｂは、下ケース２のベース板２０、並びに上ケース３のベース板３０、右側板３１及び左側板３３によって形成されており、挿入口１ａに連なっている。
【００３９】
第五リブ１５〜第八リブ１８は、第一リブ１１〜第四リブ１４に対応させて配置されている。即ち、第一リブ１１及び第五リブ１５は上下に対向し、第二リブ１２及び第六リブ１６は上下に対向し、第三リブ１３及び第七リブ１７は上下に対向し、第四リブ１４及び第八リブ１８は上下に対向する。
【００４０】
第一リブ１１及び第五リブ１５間に形成された隙間の上下寸法、第二リブ１２及び第六リブ１６間に形成された隙間の上下寸法、第三リブ１３及び第七リブ１７間に形成された隙間の上下寸法、第四リブ１４及び第八リブ１８間に形成された隙間の上下寸法は、それぞれ、ＩＣカード７０の厚みよりも長く、硬貨の厚さよりも短い。なお前述したように、第一リブ１１〜第八リブ１８の前部にはそれぞれ傾斜面が形成されているところ、前記隙間の上下寸法はリブ間の最短上下寸法をいう。前記収容室１ｂの上下寸法は、前記リブ間の隙間の上下寸法よりも長い。
【００４１】
硬貨の厚みが約１．５〜１．８ｍｍであり、ＩＣカード７０の厚みが約０．６〜１．０ｍｍである場合、リブ間の隙間の上下寸法は約１．０〜１．５ｍｍに設定され、例えば１．３ｍｍに設定される。また収容室１ｂの上下寸法は、例えば３ｍｍに設定される。
【００４２】
図８は、制御基板４等を示すブロック図である。制御基板４はランプ４ｂを、例えば緑色又は赤色で点灯若しくは点滅させるか又は消灯させる。ここで点灯とは連続的に点灯することをいう。制御基板４はソレノイド７を駆動し、ピンを進出させるか又は退入させる。制御基板４は第一センサ７１及び第二センサ７２から検出結果を取得する。制御基板４は、外部の制御装置８０から制御信号を取得し、ランプ４ｂ及びソレノイド７を駆動する。制御基板４は第一センサ７１及び第二センサ７２の検出結果を制御装置８０に出力する。
【００４３】
カードＲＷ部６はＩＣカード７０に対する情報の読み出し及び書き込みを実行し、実行結果を制御装置８０に出力する。制御装置８０はカードＲＷ部６に読み出し信号及び書き込み信号を出力する。
【００４４】
図９は、ソレノイド７及び該ソレノイド７を駆動する駆動回路４０を示す回路図である。制御基板４はソレノイド７を駆動する駆動回路４０を備える。制御装置８０は、駆動回路４０を介してソレノイド７の駆動を制御する。駆動回路４０は、直列に接続された第一抵抗４１及び第二抵抗４２を備える。第一抵抗４１の一端は制御装置８０に接続されており、他端は第二抵抗４２の一端に接続されている。第二抵抗４２の他端は接地している。
【００４５】
第一抵抗４１の他端及び第二抵抗４２の一端はトランジスタ４３のベースに接続されている。トランジスタ４３のエミッタは接地している。
【００４６】
トランジスタ４３のコレクタは保護抵抗４５の一端に接続している。なお単数のトランジスタ４３に代えて、ダーリントン接続された複数のトランジスタを使用してもよい。保護抵抗４５には、五つのコンデンサ４８が並列に接続されている。保護抵抗４５の他端はダイオード４６のアノード及びソレノイド７の一端に接続されている。ダイオード４６のカソードはソレノイド７の他端及び電源端子４７に接続されている。電源端子４７は電圧Ｖ０を印加する。
【００４７】
制御装置８０から駆動回路４０に電圧が印加されていない場合、換言すれば閉信号が入力されている場合、トランジスタ４３は導通せず、ソレノイド７に電流は流れない。ピンは退入し、コンデンサ４８は保護抵抗４５によって放電されている。
【００４８】
制御装置８０から駆動回路４０に電圧が印加されている場合、換言すれば開信号が入力されている場合、トランジスタ４３は導通する。トランジスタ４３の導通によって、コンデンサ４８は充電され、コンデンサ４８の充電が完了するまで、起動電流としてソレノイド７のコイルに電流が流れる。ピンは下方に進出する。ピンの進出によって、挿入口１ａは閉鎖される。
【００４９】
コンデンサ４８の充電が完了した後、制御装置８０から駆動回路４０に電圧が印加されている場合、電圧Ｖ０による電流が保護抵抗４５を通してソレノイド７を流れ続ける。電圧Ｖ０による電流は、挿入口１ａの閉鎖時に流れた起動電流よりも小さい。挿入口１ａは閉鎖された状態を維持する。一度閉鎖した後は、閉鎖時よりも小さい電流で挿入口１ａの閉鎖を維持することができる。
【００５０】
トランジスタ４３に異常が発生し、トランジスタ４３が不要に導通した場合でも、保護抵抗４５によって、電流が過剰に流れることを防止することができ、ソレノイド７の発熱を抑制することができる。
【００５１】
図１０は、ＩＣカード７０を挿入したカード情報処理装置を略示する正面図、図１１は、図１０に示すＸＩ−ＸＩ線を切断線とした断面図である。第一センサ７１がＩＣカード７０の不在を検出している場合、即ち、ＩＣカード７０が挿入口１ａに挿入されていないか又はＩＣカード７０が第一センサ７１に到達していない場合、制御装置８０はランプ４ｂを緑色に点灯させる。このときピンは退入しており、挿入口１ａは開いている。
【００５２】
ＩＣカード７０が挿入口１ａに挿入され、第一センサ７１に到達した場合、第一センサ７１はＩＣカード７０の存在を検出する。第一センサ７１はＩＣカード７０の存在を示す信号を制御装置８０に出力する。制御装置８０は次の動作に必要な処理を実行する。このとき、ランプ４ｂの緑色点灯は維持されている。なお第一リブ１１〜第四リブ１４の傾斜面及び第五リブ１５〜第八リブ１８の傾斜面は、挿入時にＩＣカード７０を案内する。
【００５３】
ＩＣカード７０が第二センサ７２に到達した場合、第二センサ７２はＩＣカード７０後端部の存在を検出する。第二センサ７２はＩＣカード７０後端部の存在を示す信号を制御装置８０に出力する。制御装置８０は、駆動回路４０に閉信号を出力し、ピンを下方に進出させる。ピンは挿入口１ａを閉鎖する。挿入口１ａの閉鎖によって、ユーザが誤ってＩＣカード７０を取り出すことを防止できる。制御装置８０はランプ４ｂを緑色で点滅させる。制御装置８０はカードＲＷ部６にＩＣカード７０に対する情報の読み出し又は書き込みを実行させる。
【００５４】
なお図１１に示すように、突起２７がＩＣカード７０の後方への移動を妨げるので、ＩＣカード７０が後方に移動し過ぎることを防止できる。突起２７に当接するまでＩＣカード７０を挿入した場合、ＩＣカード７０の前端部は挿入口１ａから若干突出した位置に配される。そのためユーザはＩＣカード７０を容易に取り出すことができる。またＩＣカード７０が突起２７に当接することによって、ユーザはＩＣカード７０が必要十分に挿入されたことを認識することができる。
【００５５】
カードＲＷ部６は、情報の読み出し又は書き込みが終了した場合、実行結果及び読み出し又は書き込みの終了を示す信号を制御装置８０に出力する。制御装置８０は、駆動回路４０に開信号を出力し、ピンを上方に退入させる。ピンは挿入口１ａを開く。制御装置８０は、ランプ４ｂを緑色で点灯させる。ユーザはＩＣカード７０を抜き出すことができる。
【００５６】
なおカードＲＷ部６がＩＣカード７０の異常を検出した場合又はカードＲＷ部６にエラーが生じた場合、カードＲＷ部６は異常信号を制御装置８０に出力する。制御装置８０はランプ４ｂを赤色で点灯させ、駆動回路４０に開信号を出力し、挿入口１ａを開く。
【００５７】
実施の形態に係るカード情報処理装置にあっては、挿入口１ａの隙間、即ち互いに対向するリブ間の隙間の上下寸法がＩＣカード７０の厚さよりも長いので、ＩＣカード７０を挿入することができる。一方、互いに対向するリブ間の隙間の上下寸法は硬貨の厚さよりも短いので、硬貨を挿入することができない。そのため、ユーザが誤って硬貨を挿入口１ａに挿入することを防止できる。
【００５８】
またＩＣカード７０の厚み方向、即ち上下方向における収容室１ｂの寸法は前記隙間の寸法よりも長い。そのためＩＣカード７０が変形し、例えばＩＣカード７０の一部が上下方向に突出している場合でも、ＩＣカード７０は収容室１ｂ内を移動することができる。
【００５９】
また挿入口１ａにＩＣカード７０が挿入された後、挿入口１ａは閉鎖されるので、カードＲＷ部６による情報の読み出し又は書き込みが終了する前に、ユーザが誤ってＩＣカード７０を抜き出すことを防止できる。情報の読み出し又は書き込みが終了した後、挿入口１ａを開放するので、ユーザはＩＣカード７０を抜き出すことができる。
【００６０】
またトランジスタ４３と、ソレノイド７との間に保護抵抗４５を設けているので、過電流の発生を防止して、ソレノイド７の発熱を抑制することができる。例えば、トランジスタ４３に異常が発生し、トランジスタ４３が不要に導通した場合でも、保護抵抗４５によって、電流が過剰に流れることを防止することができ、ソレノイド７の発熱を抑制することができる。また保護抵抗４５に並列にコンデンサ４８を設けているので、起動時にソレノイド７に供給する電圧及び電流を確保することができる。
【００６１】
トランジスタ４３は単数なので、制御装置８０との接続ポートは単数で足り、構成が簡素化される。なおダーリントン接続した複数のトランジスタを使用する場合も、接続ポートは単数で足りる。また制御装置８０から駆動回路４０に対する制御も、開信号又は閉信号を出力すれば足りるので、駆動回路４０に対する制御も簡素化される。
【００６２】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００６３】
１  筐体
１ａ  挿入口
１ｂ  収容室
２  下ケース
３  上ケース
４  制御基板
４０  駆動回路
４３  トランジスタ
４５  保護抵抗（抵抗）
６  カードリーダ／ライタ部
７  ソレノイド
１１〜１８  第一リブ〜第八リブ
７０  ＩＣカード
７１  第一センサ
７２  第二センサ
８０  制御装置
【図１】
2018106630.tif 000003
【図２】
2018106630.tif 000004
【図３】
2018106630.tif 000005
【図４】
2018106630.tif 000006
【図５】
2018106630.tif 000007
【図６】
2018106630.tif 000008
【図７】
2018106630.tif 000009
【図８】
2018106630.tif 000010
【図９】
2018106630.tif 000011
【図１０】
2018106630.tif 000012
【図１１】
2018106630.tif 000013